(57)【要約】【課題】蛍光ランプと同一面のあらゆる方向に均一な光を照射することのできる照明器具を提供する。【解決手段】蛍光ランプ３０が管状の放電路の中央部３１ａを始点として渦巻状に形成されているので、口金３２は最外周に位置することになり、口金３２の内側においては蛍光ランプ３０と同一面のあらゆる方向へ光が照射されている。このため、口金３２によって影となる範囲も、蛍光ランプ３０の内側部分から照射される光によってカバーされるので、蛍光ランプ３０と同一面のあらゆる方向に均一の光を照射することができる。【選択図】図１
2008204696.tif 000002
【特許請求の範囲】
【請求項１】
管状の放電路が長手方向中央部を始点として同一平面に沿って渦巻状に旋回された発光管と、
前記発光管の両端部にそれぞれ設けられた一対の口金と、
前記口金に設けられて前記発光管の旋回軸に対して直交する平面に沿って延びるランプピンとを備える蛍光ランプを有し、
前記発光管の渦巻軸線に対して略直交する方向に光を照射する照明器具。
【請求項２】
前記発光管の渦巻軸線に沿って前記蛍光ランプに対峙する減光部材を備える請求項１記載の照明器具。
【発明の詳細な説明】
【技術分野】
【０００１】
本発明は、同一平面に沿って渦巻状に旋回された蛍光ランプを有する照明器具に関するものである。
【背景技術】
【０００２】
蛍光ランプが巻回されている面と略同一面方向へ光を照射する照明器具が開示されている（例えば特許文献１参照）。
図６に示すように、特許文献１に記載の照明器具１００は、天井に埋め込んで使用する照明であり、蛍光灯１０１、台板１０３および装飾体でもある灯具本体１０２を有している。台板１０３は底面部１０３ａおよびこの底面部１０３ａに対して鈍角の径斜面を有する周縁部１０３ｂからなる円形の皿状の部材であり、壁面や天井１０４に埋め込まれている。台板１０３には、蛍光灯１０１および安定器１０６が設けられており、蛍光灯１０１および安定器１０６を挟むようにして、台板１０３よりも小さな灯具本体１０２が取付けられている。
【０００３】
従って、蛍光灯１０１から発せられた光は、台板１０３の周縁部１０３ｂに当たって反射して、周縁部１０３ｂと灯具本体１０２との間に設けられている間隙１０５から照明器具１００の外へ照射されることになる。
【特許文献１】実開平６−７７１０９号公報（第１図）
【発明の開示】
【発明が解決しようとする課題】
【０００４】
しかしながら、従来より照明器具に用いられている丸型蛍光灯、二重環形蛍光灯、丸形スリム蛍光灯等においては、蛍光ランプに設けられている口金部が影になるため、蛍光ランプと同一面方向の全周にわたって均一な光を照射することが困難であるという問題があった。
【０００５】
本発明は、従来の問題を解決するためになされたもので、蛍光ランプと同一面のあらゆる方向に均一な光を照射することのできる照明器具を提供することを目的とする。
【課題を解決するための手段】
【０００６】
本発明の照明器具は、管状の放電路が長手方向中央部を始点として同一平面に沿って渦巻状に旋回された発光管と、前記発光管の両端部にそれぞれ設けられた一対の口金と、前記口金に設けられて前記発光管の旋回軸に対して直交する平面に沿って延びるランプピンとを備える蛍光ランプを有し、前記発光管の渦巻軸線に対して略直交する方向に光を照射する構成を有している。
【０００７】
この構成により、蛍光ランプが管状の放電路の中央部を始点として渦巻状に形成されているので口金は最外周に位置することになり、口金の内側においては蛍光ランプと同一面のあらゆる方向へ光が照射されている。このため、口金によって影となる範囲も、蛍光ランプの内側部分から照射される光によってカバーされるので、蛍光ランプと同一面のあらゆる方向に均一の光を照射することができる。
【０００８】
また、本発明の照明器具は、前記発光管の渦巻軸線に沿って前記蛍光ランプに対峙する減光部材を備えた構成を有している。
【０００９】
この構成により、蛍光ランプの渦巻軸線方向に照射される光を減光部材によって減光したり遮ることにより、蛍光ランプから照射される光を蛍光ランプと同一面のあらゆる方向に導く。
【発明の効果】
【００１０】
本発明は、蛍光ランプが渦巻状に形成されているので口金は最外周に位置することになり、口金の内側においては蛍光ランプと同一面のあらゆる方向へ光が照射されている。このため、口金によって影となる範囲も、蛍光ランプの内側部分から照射される光によってカバーされるので、蛍光ランプと同一面のあらゆる方向に均一の光を照射することができるという効果を有する照明器具を提供することができるものである。
【発明を実施するための最良の形態】
【００１１】
以下、本発明の実施の形態の照明装置について、図面を用いて説明する。
図１は本発明に係る実施形態の照明装置を示す断面正面図、図２（Ａ）は図１中Ａ方向から見た平面図、図２（Ｂ）は図１中Ｂ方向から見た平面図、図２（Ｃ）は図１中Ｃ−Ｃ位置の断面図、図３（Ａ）は蛍光ランプの平面図、図３（Ｂ）は（Ａ）中Ｂ方向から見た側面図、図４（Ａ）は蛍光ランプ装着前（装着時）のソケットを示す斜視図、図４（Ｂ）は蛍光ランプ装着後のソケットを示す斜視図、図５（Ａ）は蛍光ランプからの光路を示す平面図、図５（Ｂ）は同じく断面図である。
【００１２】
図１に示すように、本発明の実施形態にかかる照明装置１０は、蛍光ランプ３０と、蛍光ランプ３０に電力を供給する点灯装置４０を有しており、点灯装置４０は蛍光ランプ３０が装着される灯具２０の上側に設けられている。
【００１３】
すなわち、点灯装置４０を灯具２０に対して上側（図１中上側）に配置するとともに、点灯装置４０の長手方向を吊下げ方向（図１中上下方向すなわち、鉛直線）に沿うように配置している。そして、灯具２０と点灯装置４０との間には連結部材５０が設けられている。
【００１４】
従って、図１に示すように、この照明装置１０では、例えば、天井１１に取付けられた取付装置１３から吊下げワイヤ１４を下方へ垂らして点灯装置４０を吊下げ、点灯装置４０の下側には連結部材５０を介して灯具２０を吊下げている。また、取付装置１３の端子台１３ａに接続されている電源線１５を吊下げワイヤ１４と共に垂らして点灯装置４０の入力部４３に接続するとともに、取付装置１３の端子台１３ａを天井１１に配線されている電源線１２に接続することにより、点灯装置４０に電力を供給している。
【００１５】
図１および図２（Ａ）に示すように、取付装置１３は、有底円筒状の取付部カバー１３ｂの内の内部空間１３ｄに配置された取付金具１３ｃに端子台１３ａを設けている。取付金具１３ｃは天井にねじで取付けられ、その中央には吊下げ高さ調整具１６が取付けられている。吊下げ高さ調整具１６は、吊下げワイヤ１４の取付装置１３からの出代を変えることで灯具２０の吊下げ高さを調整可能としている。また、取付部カバー１３ｂに設けられている穴（図示省略）から電源線１５を下方へ配線している。
【００１６】
図１および図２（Ｂ）に示すように、点灯装置４０は丸みを帯びた矩形箱状のケース４１を有しており、吊下げワイヤ１４が天板４１ａを貫通してケース４１の内部に設けられているワイヤ取付部４２に接続されている。また、吊下げワイヤ１４に沿って配線されている電源線１５が、点灯装置４０の上部に設けられている入力部４３に接続されており、点灯装置４０に電力を供給している。点灯装置４０内部の下部には出力部４４が設けられて図示しないランプ線が接続されており、蛍光ランプ３０に電力を供給している。
【００１７】
点灯装置４０の底板４１ｂ下面の中心には、下方へパイプ状の連結部材５０が取り付けられている。連結部材５０の断面形状は、丸形、角型、正多角形等を用いることができる。この連結部材５０は、点灯装置４０から灯具２０を吊下げる強度を有するとともに、内部には蛍光ランプ３０に電力を供給するランプ線（図示省略）を配線する空間を有している。また、連結部材５０の側面から見た幅寸法や外径は、灯具２０はもちろん点灯装置４０の側面視幅寸法よりも小さくなるように設定されている。
【００１８】
灯具２０は略円形薄箱状をなし、連結部材５０の下端面に、円板状のアルミダイカスト製の灯具本体５１が一体的に設けられている。灯具本体５１の外周縁には複数個の取付け穴５２が設けられていて、取付け穴５２は、灯具２０の下カバー２７ｂの取付け用のネジ２３の頭が通過できる丸穴部５２ａと、ネジ部は通るがネジ頭は通過できない幅の長穴部５２ｂとを有しており、ネジ止めする際の作業性を良好にしている。
【００１９】
図１および図２（Ｃ）に示すように、灯具２０は灯具本体５１の上に有底円筒形状の上カバー２７ａが開口を下に向けて載置されている。上カバー２７ａは、例えばポリカーボネイト樹脂製で、透光性を有しており、蛍光ランプ３０からの光を側方及び上方へ照射するようになっている。灯具本体５１の下面には、例えば白色塗装された鋼板製の反射板２６が取付けられており、反射板２６の下面に一対のランプ支持バネ２８、２８および１対のソケット２９、２９が近接して下方に向かって取付けられている。
【００２０】
上カバー２７ａの内部には、上部が開口した例えばポリカーボネイト樹脂製の半透明な有底円筒形状の本体カバー２５と、上カバー２７ａの開口を覆い発光管３１の渦巻軸線ＣＬに沿って蛍光ランプ３０に対峙する減光部材である下カバー２７ｂとが設けられていて、本体カバー２５内面に立設された複数の取付けブロック２４に、ネジ２５ａによって一括して取付けられている。取付けブロック２４の上端には、それぞれネジ２３が設けられていて、取付け穴５２にネジ２３の頭を通すことで、本体カバー２５と下カバー２７ｂとを蛍光ランプ３０の交換時等に灯具本体５１に着脱可能となっている。本体カバー２５の周壁２５ｂは、光を拡散する性質を有する材料を用いる。また、下カバー２７ｂには、例えば光を透過させない塗装鋼板製のパネルや、乳白色のアクリル板、メッシュ等を用いることができる。本体カバー２５は、灯具本体５１を内部に含む大きさを有しており、後述するように蛍光ランプ３０を内包するものであり、本体カバー２５があることで下カバー２７ｂに蛍光ランプ３０のランプイメージが出難くなっている。なお、本体カバー２５と下カバー２７ｂは一体でも良い。また、上カバー２７ａと下カバー２７ｂとを遮光性の塗装鋼板製として、上カバー２７ａと下カバー２７ｂとの間に水平方向の間隔を形成して、この間隔から光を出射するようにしてもよい。
【００２１】
図３（Ａ）および（Ｂ）に示すように、蛍光ランプ３０は、管状の放電路が長手方向中央部３１ａを始点として同一平面に沿って渦巻状に旋回された発光管３１と、この発光管３１の両端部にそれぞれ設けられた一対の口金３２、３２と、口金３２に設けられて発光管３１の旋回軸ＣＬに対して直交する平面に沿って延びるランプピン３３とを備えており、発光管３１の渦巻軸線ＣＬに対して略直交する方向に光を照射するものである。従って、１対の口金３２、３２および１対のランプピン３３、３３は、発光管３１の中央部３１ａに対して、点対称の位置に位置することになる。なお、発光管３１の中央部３１ａは、その他の部分に比して太径となっており、最冷点となっている。また、１対のランプピン３３、３３は、同一鉛直線状で上下に設けられている。
【００２２】
この構成により、蛍光ランプ３０は中央部３１ａを始点として渦巻状に形成されているので口金３２は最外周に位置することになり、口金３２の内側においては蛍光ランプ３０と同一面のあらゆる方向へ光が照射されている。このため、図５（Ａ）に示すように、蛍光ランプ３０と同一平面内において、口金３２によって影となる範囲も、蛍光ランプ３０の内側部分から照射される光によってカバーされるので、口金３２の外側にも光が照射されることになる。これにより、蛍光ランプ３０と同一面のあらゆる方向に均一の光を照射することができる。
【００２３】
また、図５（Ｂ）に示すように、蛍光ランプ３０の渦巻軸線ＣＬ方向に照射される光を下カバー２７ｂによって減光したり遮ることが望ましい。これにより、口金３２によって影となる上下方向の範囲αも、反射板２６や下カバー２７ｂに当たって反射する光によって照らされることになるので、蛍光ランプ３０と同一面のあらゆる方向に導くことができる。
【００２４】
図３（Ａ）および（Ｂ）に示すように、１対の口金３２、３２は、ブリッジ３４によって連結するのが望ましい。これにより、ランプピン３３のピッチ（配置）を安定させるとともに、蛍光ランプ３０の強度を向上させることができる。また、ブリッジ３４上で、口金３２と近接する発光管３１との間、あるいは近接する発光管３１同士の間には、充填剤３５を設けるのが望ましい。これにより、発光管３１の強度を増すとともに、発熱するランプ口金３２の放熱を図ることができる。
【００２５】
図４（Ａ）、（Ｂ）に示すように、ソケット２９は、反射板２６に取付けられる台部２９ａと、ランプピン３３を介して蛍光ランプ３０に電力を供給する端子を有する受け金２９ｂと、台部２９の上（吊下げ時には下）に設けられ受け金２９ｂを所定角度で回転可能に保持するホルダ部２９ｃを有している。受け金２９ｂにはスリット２９ｄおよびスリット２９ｄに連続して中心部に空間２９ｅが設けられており、空間２９ｅの内面に受け金２９ｂと共に回転する端子２９ｆが設けられている。空間２９ｅの大きさは、１対のランプピン３３、３３を回転可能に含むことができる大きさとなっている。なお、受け金２９ｂにはレバー２９ｇが設けられている。
【００２６】
次に、蛍光ランプ３０の着脱について説明する。
なお、図４においては、説明の便宜上、照射面２１を上向きにした状態を示して、説明する。従って、吊下げて照明装置１０を用いる場合には、上下の位置関係が反対となる。
【００２７】
図４（Ａ）に示すように、１対のソケット２９、２９の受け金２９ｂのスリット２９ｄが最上端に位置するように、受け金２９ｂを回転させておく。通常は、蛍光ランプ３０を取り付ける前、すなわち古い蛍光ランプを取り外した後は、受け金２９ｂはこの位置にある。また、蛍光ランプ３０を水平にすると、１対の口金３２、３２に設けられている１対のランプピン３３，３３は鉛直方向上下に位置し、スリット２９ｄの方向と同じになる。
【００２８】
この状態で、ランプピン３３、３３を受け金２９ｂのスリット２９ｄから空間２９ｅまで挿入する（図４（Ａ）中矢印Ｉ）。このとき、各ソケット２９の近傍に設けられているランプ支持バネ２８によって蛍光ランプ３０の発光管３１を保持するようにする。これにより、蛍光ランプ３０の取付けの際に、蛍光ランプ３０がソケット２９から脱落するのを防止することができる。次いで、レバー２９ｇを移動させて（図４（Ａ）中矢印II）、口金２９ｂを回転させる。これにより、図４（Ｂ）に示すように、受け金２９ｂの端子２９ｆが両ランプピン３３、３３に接触して電気的に接続されるとともに、スリット２９ｄが回転するのでランプピン３３の上方は蓋されることになる。これにより、ランプピン３３がソケット２９から脱落するのを完全に防止することができる。
なお、蛍光ランプ３０の取外しは、上述した蛍光ランプ３０の取付け手順を逆に行うことにより行われる。
【００２９】
なお、本発明の照明装置１０は、前述した実施形態に限定されるものでなく、適宜な変形，改良等が可能である。例えば、図２（Ｃ）に示すように、円形の上カバー２７ａおよび下カバー２７ｂを例示したが、この他、正方形や正多角形等でも良い。また、蛍光ランプ３０も、正方形状や正多角形状に渦巻きされているものも可能である。
【産業上の利用可能性】
【００３０】
以上のように、本発明にかかる照明器具は、蛍光ランプが渦巻状に形成されているので口金は最外周に位置することになり、口金の内側においては蛍光ランプと同一面のあらゆる方向へ光が照射されている。このため、口金によって影となる範囲も、蛍光ランプの内側部分から照射される光によってカバーされるので、蛍光ランプと同一面のあらゆる方向に均一の光を照射することができるという効果を有し、同一平面に沿って渦巻状に旋回された蛍光ランプを有する照明器具等として有用である。
【図面の簡単な説明】
【００３１】
【図１】本発明の実施形態にかかる照明装置を示す断面正面図である。
【図２】（Ａ）は図１中Ａ方向から見た平面図、（Ｂ）は図１中Ｂ方向から見た平面図、（Ｃ）は図１中Ｃ−Ｃ位置の断面図である。
【図３】（Ａ）は蛍光ランプの平面図、（Ｂ）は（Ａ）中Ｂ方向から見た側面図である。
【図４】（Ａ）は蛍光ランプ装着前（装着時）のソケットを示す斜視図、（Ｂ）は蛍光ランプ装着後のソケットを示す斜視図である。
【図５】（Ａ）は蛍光ランプからの光路を示す平面図、図５（Ｂ）は同じく断面図である。
【図６】（Ａ）は従来の照明器具の正面図、（Ｂ）は同じく断面図である。
【符号の説明】
【００３２】
１０  照明器具
３１  発光管
３１ａ  中央部
３２  口金
３３  ランプピン
２７ｂ  下カバー（減光部材）
ＣＬ  旋回軸
【図１】
2008204696.tif 000003
【図２】
2008204696.tif 000004
【図３】
2008204696.tif 000005
【図４】
2008204696.tif 000006
【図５】
2008204696.tif 000007
【図６】
2008204696.tif 000008